【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
光線を発光キーボードに提供するための少なくとも１つの発光素子と、
薄膜回路基板と、
複数の薄膜スイッチに対応し導通するための複数のキーと、
前記複数のキーをその上に連接させ、前記複数のキーに対応する複数の貫通孔を有し、前記複数のキーと前記薄膜回路基板の間にあるキー底板と、
を含み、且つ前記薄膜回路基板は、
第１回路パターンと複数の導光点を有し、前記第１回路パターンには複数の下接点があり、前記複数の導光点は前記発光素子から提供された光線を集光して乱反射させ、前記複数の導光点が上向きに乱反射する光量を増加させるための第１薄膜と第２薄膜を含む下層板と、
第２回路パターンを有し、前記第２回路パターン上に前記複数の下接点に対応する複数の上接点があり、前記各上接点とこれに対応する前記下接点との間に間隔があり、前記対応する下接点と共に前記薄膜スイッチを形成する上層板と、
を含むことを特徴とする発光キーボード。
【請求項２】
前記第１薄膜と前記第２薄膜は導光薄膜であることを特徴とする請求項１に記載の発光キーボード。
【請求項３】
前記複数の導光点は前記第１薄膜と前記第２薄膜の間に設けられることを特徴とする請求項２に記載の発光キーボード。
【請求項４】
前記下層板は更に、前記第１薄膜と前記第１回路パターンの間に取り付けられて前記第１薄膜で得られた光線が前記第１薄膜内で全反射を起こす確率を高める間隔薄膜を含むことを特徴とする請求項３に記載の発光キーボード。
【請求項５】
前記第１薄膜と前記第２薄膜はそれぞれ導光薄膜と間隔薄膜で、前記間隔薄膜は前記導光薄膜と前記第１回路パターンの間に取り付けられて、前記第１薄膜で得られた光線が前記第１薄膜内で全反射を起こす確率を高めることを特徴とする請求項１に記載の発光キーボード。
【請求項６】
前記複数の導光点は前記導光薄膜の下表面に設けられることを特徴とする請求項５に記載の発光キーボード。
【請求項７】
前記発光素子は発光ダイオードで、前記薄膜回路基板の側辺に取り付けられて、前記薄膜回路基板の方向に照射されることを特徴とする請求項１に記載の発光キーボード。
【請求項８】
前記薄膜回路基板の下方に取り付けられ、前記複数のキー、前記キー底板、前記薄膜回路基板、及び前記発光素子を載置するための台座を更に含むことを特徴とする請求項１に記載の発光キーボード。
【請求項９】
前記各キーは、
前記発光キーボードの外部に露出したキーキャップと、
前記キー底板と前記キーキャップの間に取り付けられ、前記キー底板と前記キーキャップを連接して、前記キーキャップを前記キー底板に対向して上下移動させる連接部材と、
を含むことを特徴とする請求項１に記載の発光キーボード。
【請求項１０】
前記各キーは更に、前記キーキャップと前記キー底板の間に取り付けられて当接部を有する弾性体を含み、前記連接部材は鋏型連接部材で、前記キーキャップが押下されると、前記弾性体が圧縮されて前記当接部が前記キー底板の対応する前記貫通孔を貫通して、対応する前記薄膜スイッチに当接し、前記キーキャップがこれ以上押下されなくなると、前記弾性体は弾性力を前記キーキャップに提供して、前記キーキャップを元の位置に戻すことを特徴とする請求項９に記載の発光キーボード。
【請求項１１】
前記薄膜回路基板は更に、前記各上接点とこれに対応する前記下接点の間に前記間隔ができるように前記下層板と前記上層板の間に取り付けられる中層板を含み、前記中層板には複数の下接点と複数の上接点に対応する複数の孔があることを特徴とする請求項１に記載の発光キーボード。
【請求項１２】
光線を前記発光キーボードに提供するための少なくとも１つの発光素子と、
回路パターンと複数の導光点を有し、前記回路パターンには複数の薄膜スイッチがあり、前記複数の導光点は前記発光素子から提供された光線を集光して乱反射させ、前記複数の導光点が上向きに乱反射する光量を増加させるための第１薄膜と第２薄膜を含む薄膜回路基板と、
前記複数の薄膜スイッチに対応し導通するための複数のキーと、
前記複数のキーをその上に連接させ、前記複数のキーに対応する複数の貫通孔を有し、前記複数のキーと前記薄膜回路基板の間にあるキー底板と、
を含むことを特徴とする発光キーボード。
【請求項１３】
前記各薄膜スイッチは第１導電部と第２導電部を含み、前記第１導電部は前記第２導電部に接触しないことを特徴とする請求項１２に記載の発光キーボード。
【請求項１４】
前記各キーは、
前記発光キーボードの外部に露出したキーキャップと、
前記キー底板と前記キーキャップの間に取り付けられ、前記キー底板と前記キーキャップを連接して、前記キーキャップを前記キー底板に対向して上下移動させる連接部材と、
前記キーキャップと前記キー底板の間に取り付けられた導体と、
を含み、前記キーキャップが押下されると、前記導体が前記キー底板の対応する前記貫通孔を貫通して、対応する前記薄膜スイッチに接触して前記薄膜スイッチを導通することを特徴とする請求項１３に記載の発光キーボード。
【請求項１５】
前記各連接部材は鋏型連接部材であることを特徴とする請求項１４に記載の発光キーボード。
【請求項１６】
前記第１薄膜と前記第２薄膜は導光薄膜であることを特徴とする請求項１２に記載の発光キーボード。
【請求項１７】
前記複数の導光点は前記第１薄膜と前記第２薄膜の間に設けられることを特徴とする請求項１６に記載の発光キーボード。
【請求項１８】
前記薄膜回路は更に、前記第１薄膜と前記回路パターンの間に取り付けられて前記第１薄膜で得られた光線が前記第１薄膜内で全反射を起こす確率を高める間隔薄膜を含むことを特徴とする請求項１７に記載の発光キーボード。
【請求項１９】
前記第１薄膜と前記第２薄膜はそれぞれ導光薄膜と間隔薄膜で、前記間隔薄膜は前記導光薄膜と前記回路パターンの間に取り付けられて、前記第１薄膜で得られた光線が前記第１薄膜内で全反射を起こす確率を高めることを特徴とする請求項１２に記載の発光キーボード。
【請求項２０】
前記複数の導光点は前記導光薄膜の下表面に設けられることを特徴とする請求項１９に記載の発光キーボード。
【請求項２１】
前記発光素子は発光ダイオードで、前記薄膜回路基板の側辺に取り付けられて、前記薄膜回路基板の方向に照射されることを特徴とする請求項１２に記載の発光キーボード。
【請求項２２】
前記薄膜回路基板の下方に取り付けられ、前記複数のキー、前記キー底板、前記薄膜回路基板、及び前記発光素子を載置するための台座を更に含むことを特徴とする請求項１２に記載の発光キーボード。
【請求項２３】
光線を発光キーボードに提供するための少なくとも１つの発光素子と、
薄膜回路基板と、
複数の薄膜スイッチを導通するための複数のキーと、
前記複数のキーをその上に連接させ、前記複数のキーに対応する複数の貫通孔を有し、前記複数のキーと前記薄膜回路基板の間にあるキー底板と、
を含み、且つ前記薄膜回路基板は、
上層薄膜と前記上層薄膜の下表面に形成された第２回路パターンを有し、前記第２回路パターン上に複数の上接点を設けた上層板と、
第１薄膜、第１回路パターン、及び前記第１薄膜と前記第１回路パターンの間にある第２薄膜を有し、前記第１回路パターン上に前記複数の上接点に対応する複数の下接点を設け、前記各上接点とこれに対応する前記下接点の間に間隔があり、前記対応する上接点と共に前記薄膜スイッチを形成し、前記第２薄膜の屈折率が前記第１薄膜の屈折率より小さい下層板と、
を含むことを特徴とする発光キーボード。
【請求項２４】
前記第１回路パターンは複数の金属回路を含むことを特徴とする請求項２３に記載の発光キーボード。
【請求項２５】
前記複数の金属回路は銀ペースト回路であることを特徴とする請求項２４に記載の発光キーボード。
【請求項２６】
前記第２薄膜は単一の連続する薄膜で、前記複数の金属回路は前記単一の連続する薄膜上に形成されることを特徴とする請求項２４に記載の発光キーボード。
【請求項２７】
前記第２薄膜は複数のブロック薄膜で構成され、前記複数の金属回路はそれぞれ前記複数のブロック薄膜上に形成されることを特徴とする請求項２４に記載の発光キーボード。
【請求項２８】
前記第１薄膜は導光薄膜であることを特徴とする請求項２３に記載の発光キーボード。
【請求項２９】
前記発光素子は発光ダイオードで、前記薄膜回路基板の側辺に取り付けられて、前記薄膜回路基板の方向に照射されることを特徴とする請求項２３に記載の発光キーボード。
【請求項３０】
前記薄膜回路基板の下方に取り付けられ、前記複数のキー、前記キー底板、前記薄膜回路基板、及び前記発光素子を載置するための台座を更に含むことを特徴とする請求項２３に記載の発光キーボード。
【請求項３１】
前記各キーは、
前記発光キーボードの外部に露出したキーキャップと、
前記キー底板と前記キーキャップの間に取り付けられ、前記キー底板と前記キーキャップを連接して、前記キーキャップを前記キー底板に対向して上下移動させる連接部材と、
を含むことを特徴とする請求項２３に記載の発光キーボード。
【請求項３２】
前記各キーは更に、前記キーキャップと前記キー底板の間に取り付けられて当接部を有する弾性体を含み、前記連接部材は鋏型連接部材で、前記キーキャップが押下されると、前記弾性体が圧縮されて前記当接部が前記キー底板の対応する前記貫通孔を貫通して、対応する前記薄膜スイッチに当接し、前記キーキャップがこれ以上押下されなくなると、前記弾性体は弾性力を前記キーキャップに提供して、前記キーキャップを元の位置に戻すことを特徴とする請求項３１に記載の発光キーボード。
【請求項３３】
前記薄膜回路基板は更に、前記各上接点とこれに対応する前記下接点の間に前記間隔ができるように前記下層板と前記上層板の間に取り付けられる中層板を含み、前記中層板には複数の下接点と複数の上接点に対応する複数の孔があることを特徴とする請求項２３に記載の発光キーボード。